(57)【特許請求の範囲】
【請求項１】
原稿を読み取る読取手段と、
印字領域で当該原稿に印字する印字手段と、
前記印字領域と非印字領域との間で前記印字手段を移動させる移動手段と、
前記読取手段による原稿の読み取り完了時又は前記印字手段による原稿への印字完了時から現在の時刻までの経過時間を計測する計時手段と、
原稿に前記印字手段により印字する画像の設定を、ユーザの設定操作に基づき設定可能とする画像設定手段と、
前記印字手段を前記印字領域で待機させる待機時間を、ユーザの設定操作に基づき設定可能とする待機時間設定手段と、
前記計時手段により計測された経過時間と前記待機時間設定手段により設定された待機時間とに基づいて、前記印字手段を前記印字領域で待機させる前記移動手段の制御を可能とする制御手段と
を備えることを特徴とする画像処理装置。
【請求項２】
手差し給紙モードとその他の給紙モードとの選択を可能とするモード選択手段をさらに有し、
前記制御手段は、前記手差し給紙モードが選択されており、前記計時手段により計測された経過時間が前記待機時間設定手段により設定された待機時間よりも短い場合に、前記印字手段を前記印字領域で待機させるように前記移動手段を制御することを特徴とする請求項１記載の画像処理装置。
【請求項３】
前記待機時間設定手段は、複数の待機時間の設定値を備え、前記複数の待機時間の設定値の中から選択された一つの待機時間の設定値を、前記待機時間として設定することを特徴とする請求項１又は２記載の画像処理装置。
【請求項４】
原稿を積載する原稿台と、前記原稿台上の原稿の有無を検知する原稿検知手段とを更に備え、
前記計時手段は前記原稿検知手段が原稿を検知しなくなった時から現在の時刻までの経過時間を計測することを特徴とする請求項１乃至３のいずれか１項記載の画像読取装置。
【請求項５】
原稿を読み取る読取手段と、印字領域で当該原稿に印字する印字手段と、前記印字領域と非印字領域との間で前記印字手段を移動させる移動手段と、を備える画像処理装置の制御方法において、
前記読取手段による原稿の読み取り完了時又は前記印字手段による原稿への印字完了時から現在の時刻までの経過時間を計測する計時工程と、
原稿に前記印字手段により印字する画像の設定を、ユーザの設定操作に基づき設定可能とする画像設定工程と、
前記印字手段を前記印字領域で待機させる待機時間を、ユーザの設定操作に基づき設定可能とする待機時間設定工程と、
前記計時工程により計測された経過時間と前記待機時間設定工程により設定された待機時間とに基づいて、前記印字手段を前記印字領域で待機させる前記移動手段の制御を可能とする制御工程と
を備えることを特徴とする画像処理装置の制御方法。
【請求項６】
原稿を読み取る読取手段と、印字領域で当該原稿に印字する印字手段と、前記印字領域と非印字領域との間で前記印字手段を移動させる移動手段と、を備える画像処理装置で実行される制御プログラムにおいて、
前記読取手段による原稿の読み取り完了時又は前記印字手段による原稿への印字完了時から現在の時刻までの経過時間を計測する計時モジュールと、
原稿に前記印字手段により印字する画像の設定を、ユーザの設定操作に基づき設定可能とする画像設定モジュールと、
前記印字手段を前記印字領域で待機させる待機時間を、ユーザの設定操作に基づき設定可能とする待機時間設定モジュールと、
前記計時モジュールにより計測された経過時間と前記待機時間設定モジュールにより設定された待機時間とに基づいて、前記印字手段を前記印字領域で待機させる前記移動手段の制御を可能とする制御モジュールと
を備えることを特徴とする制御プログラム。
【発明の詳細な説明】
【技術分野】
【０００１】
本発明は、原稿の画像を読み取り、この読み取りと連動して原稿に印字を行う画像処理装置、その制御方法及び制御プログラムに関する。
【背景技術】
【０００２】
従来より、原稿の画像を読み取り、その原稿に印字を行う画像処理装置が知られている。このような画像処理装置は印字を行うヘッド部を備えており、当該ヘッド部は、インクリボンを用いたインパクト式装置やインク吐出式印字装置等で構成され、画像読取部の前段又は後段のいずれか一方又は双方に配置されている。この画像処理装置では、読み取られた原稿の画像と関連する通し番号検索用の番号や読取り処理済みマークなどの付加情報が操作部で任意に指定され、その付加情報が原稿に印字される。
【０００３】
また、この種の画像処理装置では、装置の消音化や装置全体の小型化のために、近年はヘッド部としてインク吐出式印字装置が用いられることが多くなってきている。
【０００４】
インク吐出式印字装置は複数のインク吐出口（ノズル）を有し、印字領域を通る原稿の搬送速度に同期して各インク吐出口毎にインク吐出を選択的に制御することによって搬送される原稿に所望の付加情報の印字を行う。
【０００５】
このようなインク吐出式印字装置では、乾燥により、当該装置のヘッドのノズルやインク流路内において目詰まりが生じたり、インク物性の変化や固形物の析出によって、ヘッドからインク滴が全く吐出しなくなる場合がある。
【０００６】
また、インク滴の吐出停止が起こらないまでも、インク中における固形分の析出は、均一なインク滴の吐出又はインク滴の安定な飛翔に対して悪影響を及ぼし、記録性（原稿１枚に限らず、連続的に原稿に記録する場合も含む）、吐出安定性、又は吐出応答性を低下させる原因になる。
【０００７】
このような問題を解消するために、インク吐出式印字装置のヘッドにキャップをすることでインクの気化を防ぐキャップ機構があり、当該キャップ機構が印字領域外のホームポジションに設けられた画像処理装置が知られている（特許文献１参照）。
【特許文献１】特開２００２−２１０９９５号公報
【発明の開示】
【発明が解決しようとする課題】
【０００８】
上記キャップ機構がホームポジションに設けられている画像処理装置では、印字を行うため印字領域へ移動したヘッドは、インクの乾燥を避けるために印字終了後に印字領域からホームポジションに戻る。ただし、複数の原稿を読み取る場合は、原稿毎に印字領域への移動及びホームポジションへの移動が行われるのではなく、原稿台に原稿が載置されている間はヘッドを印字領域で待機させ、原稿台に原稿が載置されていない場合にヘッドがホームポジションに移動される。
【０００９】
しかしながら、このような画像処理装置では、原稿台の原稿がすべて装置内に搬送された直後に、新たな原稿を原稿台に載置し、原稿の読み取り及び印字を実行する場合（例えば、読み取るべき原稿の厚さが薄く、複数枚の原稿からなる原稿束から一枚ずつ分離して給紙を行う分離給紙機構でその薄い原稿が破損する虞があり、一枚づつ手差しにより当該原稿を給紙する場合）、原稿台に原稿がなくなった時点でヘッドがホームポジションに戻ってしまい、次の原稿が給紙されたときにヘッドが印字領域まで移動する間、待ち時間が生じる。
【００１０】
本発明の目的は、かかる課題に鑑み、原稿への印字の処理にかかる時間を短縮することができる画像処理装置、その制御方法及び制御プログラムを提供することにある。
【課題を解決するための手段】
【００１１】
上記目的を達成するために、請求項１の画像処理装置は、原稿を読み取る読取手段と、印字領域で当該原稿に印字する印字手段と、前記印字領域と非印字領域との間で前記印字手段を移動させる移動手段と、前記読取手段による原稿の読み取り完了時又は前記印字手段による原稿への印字完了時から現在の時刻までの経過時間を計測する計時手段と、原稿に前記印字手段により印字する画像の設定を、ユーザの設定操作に基づき設定可能とする画像設定手段と、前記印字手段を前記印字領域で待機させる待機時間を、ユーザの設定操作に基づき設定可能とする待機時間設定手段と、前記計時手段により計測された経過時間と前記待機時間設定手段により設定された待機時間とに基づいて、前記印字手段を前記印字領域で待機させる前記移動手段の制御を可能とする制御手段とを備えることを特徴とする。
【００１２】
請求項５の画像処理装置の制御方法は、原稿を読み取る読取手段と、印字領域で当該原稿に印字する印字手段と、前記印字領域と非印字領域との間で前記印字手段を移動させる移動手段と、を備える画像処理装置の制御方法において、前記読取手段による原稿の読み取り完了時又は前記印字手段による原稿への印字完了時から現在の時刻までの経過時間を計測する計時工程と、原稿に前記印字手段により印字する画像の設定を、ユーザの設定操作に基づき設定可能とする画像設定工程と、前記印字手段を前記印字領域で待機させる待機時間を、ユーザの設定操作に基づき設定可能とする待機時間設定工程と、前記計時工程により計測された経過時間と前記待機時間設定工程により設定された待機時間とに基づいて、前記印字手段を前記印字領域で待機させる前記移動手段の制御を可能とする制御工程とを備えることを特徴とする。
【００１３】
請求項６の制御プログラムは、原稿を読み取る読取手段と、印字領域で当該原稿に印字する印字手段と、前記印字領域と非印字領域との間で前記印字手段を移動させる移動手段と、を備える画像処理装置で実行される制御プログラムにおいて、前記読取手段による原稿の読み取り完了時又は前記印字手段による原稿への印字完了時から現在の時刻までの経過時間を計測する計時モジュールと、原稿に前記印字手段により印字する画像の設定を、ユーザの設定操作に基づき設定可能とする画像設定モジュールと、前記印字手段を前記印字領域で待機させる待機時間を、ユーザの設定操作に基づき設定可能とする待機時間設定モジュールと、前記計時モジュールにより計測された経過時間と前記待機時間設定モジュールにより設定された待機時間とに基づいて、前記印字手段を前記印字領域で待機させる前記移動手段の制御を可能とする制御モジュールとを備えることを特徴とする。
【発明の効果】
【００１４】
本願発明によれば、原稿の読み取り完了時又は前記印字手段による原稿への印字完了時から現在の時刻までの経過時間と、設定された待機時間とに基づいて、印字手段を印字領域で待機させるように移動手段が制御される。これにより、印字手段が無駄に非印字領域に戻ることを防ぐことができ、原稿への印字の処理にかかる時間を短縮することができる。
【発明を実施するための最良の形態】
【００１５】
以下、本発明の実施の形態を図面を参照しながら説明する。
【００１６】
図１は、本発明の実施の形態に係る画像処理装置の制御系主要部の構成を示すブロック図である。
【００１７】
本発明の実施の形態に係る画像処理装置は画像読取装置１３と画像形成装置３０とで構成される。
【００１８】
図１において、画像読取装置１３は、読取終了ボタン７、画像読取ユニット１４、タイマ１５、ＣＰＵ１６及びインターフェイス１７を備えており、画像形成装置３０及び外部機器４０（例えばホストコンピュータ）と接続されている。
【００１９】
読取終了ボタン７は原稿の読み取りを終了させる。タイマ１５は現在時刻の計測を行う。インターフェイス１７は画像読取装置１３と外部機器４０又は画像形成装置３０との間で通信を行う。ＣＰＵ１６は、画像読取装置各部の制御を司る中央処理装置である。画像読取ユニット１４は、原稿に光を照射するランプ、その原稿からの反射光を集光するレンズ、及び当該レンズを通過した光を電気信号に変換するイメージセンサ等を備えているが、図示は省略する。画像読取ユニット１４は原稿の画像を読み取った読取信号をＣＰＵ１６に送信し、ＣＰＵ１６は、読取信号を分析するか又は原稿サイズの設定情報等から原稿読み取り完了と判断した時刻の情報をタイマ１５から取得する。
【００２０】
図２は、外部機器４０の制御系主要部の構成を示すブロック図である。
【００２１】
外部機器４０は、画像読取装置１３と接続するための入出力ポート３１と、外部機器の制御プログラムを格納するメモリ４２と、各種の設定を行うための操作部４３と、表示部４４と、外部機器全体を制御するＣＰＵ４５と、読み取った画像データ等を記憶する記憶装置４７とを備えている。これらは、互いにバス４６を介して接続されている。
【００２２】
操作部４３では読取モード、待機時間及び印字すべき画像の設定が行われる。読取モードは、原稿台に載置されているすべての原稿が無くなるまで原稿の読み取りを行う標準給紙モードと、手差しされた原稿を給紙する手差しモードとを有する。また、表示部４４に図８に示す待機時間設定ダイアログを表示させて、ユーザがスライドボタン８１を０〜１００秒の間の所望の待機時間にスライドさせ、ＯＫボタン８２を押下することで、操作部４３では待機時間の設定を行うことも可能である。
【００２３】
図３は、画像読取装置１３及び画像形成装置３０の概略構成を示す断面図であり、（Ａ）は、画像読取ユニット１４が給紙ローラ１及び分離ローラ２と搬送ローラ３との間に配されている状態を示す図であり、（Ｂ）は画像読取ユニット１４が後部給紙口２３と排紙ローラ４との間に配されている状態を示す図である。
【００２４】
画像読取装置１３は、原稿台５、原稿検知センサ６、原稿の読み取りを終了させる読取終了ボタン７、後部排紙口２２及び後部給紙口２３を備えている。さらに、画像読取装置１３は、筐体の内部に、給紙ローラ１、搬送ローラ３、排紙ローラ４、分離ローラ２、モータ８及び画像読取ユニット１４を備えている。
【００２５】
画像形成装置３０は、給紙口２５、搬送ローラ９、排紙口２４及び印字機構２７を備えている。画像形成装置３０は、ユーザの必要に応じて画像読取装置１３の背面側の所定位置に装着して使用され、画像読取装置１３への着脱自在なオプション機器として構成されている。
【００２６】
画像形成装置３０が画像読取装置１３の背面側の所定位置に装着された状態において、画像読取装置１３の後部排紙口２２は画像形成装置３０の給紙口２５に連通されており、画像読取装置１３の後部給紙口２３は画像形成装置３０の排紙口２４に連通されている。
【００２７】
原稿検知センサ６は、原稿台５に原稿が置かれているか否かを検知する。モータ８は、給紙ローラ１、分離ローラ２、搬送ローラ３、排紙ローラ４及び搬送ローラ９を駆動し、例えばステッピングモータで構成されている。給紙ローラ１は原稿台５に置かれた原稿を搬送ローラ３側へ給紙する。分離ローラ２は、原稿台５に置かれた複数枚の原稿を分離する。搬送ローラ９は給紙口２５から排紙口２４側へ原稿を搬送する。
【００２８】
図４は、印字機構２７の概略構成を示す斜視図である。
【００２９】
印字機構２７は、モータ１０、キャリッジ１８、ヘッド１１、制御部１２及びキャップ２０により構成されている。キャリッジ１８はヘッド１１を支持し、モータ１０により原稿に対し水平方向に、印字領域とホームポジションとの間を移動する。ヘッド１１は印字を行う。キャップ２０はヘッド１１がホームポジションにあるときにインクの気化を防ぐ働きをする。制御部１２はＣＰＵ１６の指令を受け、ヘッド１１の位置の制御と印字の処理を行う。また、制御部１２は原稿への印字が完了した時点で、印字完了を示す信号を図１のＣＰＵ１６に送信し、ＣＰＵ１６は、印字完了を示す信号を受信したときの時刻の情報をタイマ１５から取得する。制御部１２が印字完了を示す信号をＣＰＵ１６に送信する機能を持たない場合は、ＣＰＵ１６が制御部１２に印字の指令を出した時点又はその時点から所定の時間後の時刻の情報をタイマ１５から取得してもよい。
【００３０】
図５は、待機時間の設定処理を示すフローチャートである。本処理はＣＰＵ１６が記憶部１９に記憶された制御プログラムに基づいて実行する。
【００３１】
まず、外部機器４０の操作部４３で設定された読み取りモードを取得し（ステップＳ５１）、取得された読み取りモードが標準給紙モードであるか否かを判別する（ステップＳ５２）。
【００３２】
ステップＳ５２の判別の結果、読み取りモードが標準給紙モードである場合には、待機時間を０秒に設定する（ステップＳ５３）。一方、読み取りモードが標準給紙モードでない場合、即ち手差しモードである場合には、待機時間を２０秒に設定する（ステップＳ５４）。
【００３３】
次いで、操作部４３で設定された待機時間がインターフェイス１７を介して受信されたか否かを判別する（ステップＳ５５）。操作部４３で設定された待機時間がインターフェイス１７を介して受信されていない場合には、本処理を終了する一方、操作部４３で設定された待機時間がインターフェイス１７を介して受信された場合には、受信された待機時間を設定し（ステップＳ５６）、本処理を終了する。
【００３４】
図６は、画像読取装置１３が実行する処理を示すフローチャートである。本処理はＣＰＵ１６が記憶部１９に記憶された制御プログラムに基づいて実行する。ただし、印字機構２７による印字処理はＣＰＵ１６の指令を受けた制御部１２に制御され、画像形成装置３０で実行される。また、画像読取装置１３は図３（Ａ）の構成であるとする。
【００３５】
まず、制御プログラムに組み込まれた原稿有無のチェック要求を受けて、ＣＰＵ１６は原稿検知センサ６の出力信号の状態を調べる（ステップＳ６１）。
【００３６】
原稿検知センサ６からの出力信号に基づいて原稿台５に原稿が有るか否かの判別を行う（ステップＳ６２）。
【００３７】
原稿台５に原稿が有ると判別された場合には、画像読取ユニット１４に原稿台５から搬送されてくる１枚の原稿を読み取らせ、さらに印字機構２７に読み取られた原稿の画像と関連する通し番号検索用の番号や読取り処理済みマークなどの付加情報を当該原稿上に印字するように制御部１２に指令する（ステップＳ６３）。
【００３８】
その後、印字完了を示す信号を制御部１２から受信し、その受信したときの時刻の情報をタイマ１５から取得して、当該取得された時刻を開始時刻に設定して（ステップＳ６４）、ステップＳ６１に戻る。原稿台５に原稿が有る場合には、このようなステップＳ６１〜ステップＳ６４までの処理が繰り返され、ステップＳ６４で設定される開始時刻は逐次上書きされる。
【００３９】
ステップＳ６２において、原稿台５に原稿がないと判別された場合には、タイマ１５により計時される現在の時刻を終了時刻に設定して（ステップＳ６５）、ステップＳ６５で設定された終了時刻からステップＳ６４で設定された開始時刻の間の時間が、ステップＳ５３，Ｓ５４，Ｓ５６のいずれかで設定された待機時間よりも短い（即ち、終了時刻−開始時刻＜待機時間）か否かを判別する（ステップＳ６６）。これにより、最終ページの原稿への印字完了時から現在の時刻までの経過時間が、設定された待機時間よりも短いか否かが判別される。
【００４０】
ステップＳ６６の判別の結果、終了時刻−開始時刻＜待機時間である場合には、ヘッド１１を印字領域で待機させるように制御部１２に指令し（ステップＳ６９）、ステップＳ７０に進む。一方、終了時刻−開始時刻＜待機時間でない場合には、ヘッド１１がホームポジションにあるか否かを判別し（ステップＳ６７）、ヘッド１１がホームポジションにない場合には、ヘッド１１をホームポジションに移動させるように制御部１２に指令し（ステップＳ６８）、ステップＳ７０に進む。ヘッド１１がホームポジションにある場合には、ステップＳ６８をスキップして、ステップＳ７０に進む。
【００４１】
その後、読み取りモードが標準給紙モードであるか又は読取終了ボタン７が押されたか否かを判別し（ステップＳ７０）、読み取りモードが標準給紙モードである又は読取終了ボタン７が押された場合には、本処理を終了する一方、読み取りモードが標準給紙モードでない又は読取終了ボタン７が押されていない場合には、ステップＳ６１に戻る。
【００４２】
画像読取装置１３が図３（Ｂ）の構成である場合には、ステップＳ６４で原稿読み取り完了か否かを画像読取ユニット１４から受信した読取信号等により判断し、その判断したときの時刻の情報をタイマ１５から取得して、当該取得された時刻を開始時刻に設定する。これにより、ステップＳ６６で、最終ページの原稿の読み取り完了時から現在の時刻までの経過時間が、設定された待機時間よりも短いか否かが判別される。
【００４３】
図７は、図６の画像読取装置１３が実行する処理の変形例を示すフローチャートである。
【００４４】
同一の処理工程には、同一のステップ番号を付し、その説明を省略する。
【００４５】
まず、原稿台５に原稿がある間は、ステップＳ６１〜ステップＳ６３の処理工程を繰り返す。そして、原稿台５に原稿がない場合、原稿検知センサ６の出力信号に基づいて原稿がないと判別したときの時刻の情報をタイマ１５から取得して、当該取得された時刻を開始時刻に設定して（ステップＳ７１）、ステップＳ６５に進む。これにより、ステップＳ６６で、最終ページの原稿が原稿台５から無くなったとき（原稿検知センサ６で原稿台５上の原稿を検知できなくなったとき）から現在の時刻までの経過時間が、設定された待機時間よりも短いか否かが判別される。
【００４６】
以上説明したように、本実施の形態によれば、原稿の読み取り完了時又は原稿への印字完了時から現在の時刻までの経過時間が、設定された待機時間よりも短い場合に、ヘッド１１を印字領域で待機させるように印字機構２７が制御される。従って、ヘッドをホームポジションに戻す必要がない場合に、ヘッドをホームポジションに戻す時間及びヘッドを印字領域に移動させる時間を短縮でき、原稿への印字の処理にかかる時間を短縮することができる。
【００４７】
また、最終ページの原稿が原稿台５から無くなったとき（原稿検知センサ６で原稿台５上の原稿を検知できなくなったとき）から現在の時刻までの経過時間が、設定された待機時間よりも短い場合に、ヘッド１１を印字領域で待機させるように印字機構２７が制御されるので、上記と同様に原稿への印字の処理にかかる時間を短縮することができる。
【００４８】
上記実施の形態では、待機時間の初期化として待機時間に０秒又は２０秒を設定しているが（ステップＳ５３，ステップＳ５４）、待機時間の初期化の値はこれに限定されるものではない。また、待機時間の初期化の値は２種類であったが、いくつでもかまわない。
【００４９】
さらに、上記実施の形態では、読み取りモードの種類に応じて待機時間の初期化の値を変化させたが、待機時間の初期化の値を変化させる条件は、読み取りモードの種類に限定されるわけではない。
【００５０】
また、上記実施の形態では、外部機器４０が待機時間を設定する操作部４３を備えているが、画像読取装置１３に操作部４３を設けて、待機時間を設定するようにしてもよい。      
【００５１】
また、外部機器４０が備えているメモリ４２、操作部４３、表示部４４及び記憶装置４７を画像読取装置１３及び画像形成装置３０のいずれか一方に組み込み、画像読取装置１３と画像形成装置３０のみで画像読取及び印字処理ができるようにしてもよい。
【００５２】
さらに、上記実施の形態では、画像形成装置３０は、画像読取装置１３への着脱自在なオプション機器として構成されていたが、画像読取装置１３と画像形成装置３０とを含む一体化された装置でも、本発明を適用できる。
【００５３】
また、本発明の目的は、実施の形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【００５４】
この場合、記憶媒体から読み出されたプログラムコード自体が前述した実施の形態の機能を実現することになり、そのプログラムコード及び該プログラムコードを記憶した記憶媒体は本発明を構成することになる。
【００５５】
又、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードをネットワークを介してダウンロードしてもよい。
【００５６】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施の形態の機能が実現される場合も含まれる。
【００５７】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施の形態の機能が実現される場合も含まれる。
【図面の簡単な説明】
【００５８】
【図１】本発明の実施の形態に係る画像処理装置の制御系主要部の構成を示すブロック図である。
【図２】外部機器の制御系主要部の構成を示すブロック図である。
【図３】画像読取装置及び画像形成装置の概略構成を示す断面図であり、（Ａ）は、画像読取ユニットが給紙ローラ及び分離ローラと搬送ローラとの間に配されている状態を示す図であり、（Ｂ）は画像読取ユニットが給紙口と排紙ローラとの間に配されている状態を示す図である。
【図４】印字機構の概略構成を示す斜視図である。
【図５】待機時間の設定処理を示すフローチャートである。
【図６】画像読取装置が実行する処理を示すフローチャートである。
【図７】図６の画像読取装置が実行する処理の変形例を示すフローチャートである。
【図８】待機時間設定ダイアログの一例を示す図である。
【符号の説明】
【００５９】
６  原稿検知センサ
７  読取終了ボタン
１１  ヘッド
１３  画像読取装置
１４  画像読取ユニット
１５  タイマ
１６  ＣＰＵ
１７  インターフェイス
１８  キャリッジ
２０  キャップ
２７  印字機構
３０  画像形成装置
４０  外部機器
４１  入出力ポート
４２  メモリ
４３  操作部
４４  表示部
【図１】
0004654095.tif 000002
【図２】
0004654095.tif 000003
【図３】
0004654095.tif 000004
【図４】
0004654095.tif 000005
【図５】
0004654095.tif 000006
【図６】
0004654095.tif 000007
【図７】
0004654095.tif 000008
【図８】
0004654095.tif 000009